【手続補正書】
【提出日】平成21年5月28日(2009.5.28)
【手続補正１】
【補正対象書類名】特許請求の範囲
【補正対象項目名】全文
【補正方法】変更
【補正の内容】
【特許請求の範囲】
【請求項１】
見出語、当該見出語の読み、及び当該見出語の説明情報がそれぞれ対応付けられ辞書情報として記憶されている記憶手段と、
この記憶手段に記憶されている辞書情報中の見出語のうち、一の見出語を選択する選択手段と、
この選択手段により選択された見出語に対応する説明情報を表示する制御を行う説明情報表示制御手段と、
この説明情報表示制御手段により表示制御された説明情報中の漢字を指定する指定手段と、
この指定手段により指定された漢字を含む見出語を前記辞書情報から検索し、この検索された見出語の読みを前記辞書情報から読み出して前記説明情報とともに表示する制御を行う読み表示制御手段と、
を備えることを特徴とする情報表示制御装置。
【請求項２】
見出語と当該見出語の読みとを対応付けて記憶する見出語読み記憶手段と、
見出語と、当該見出語の説明情報とがそれぞれ対応付けられ辞書情報として記憶されている記憶手段と、
この記憶手段に記憶されている見出語のうち、一の見出語を選択する選択手段と、
この選択手段により選択された見出語に対応する説明情報を表示する制御を行う説明情報表示制御手段と、
この説明情報表示制御手段により表示制御された説明情報中の漢字を指定する指定手段と、
この指定手段により指定された漢字を含む見出語を前記見出語読み記憶手段から検索し、この検索された見出語の読みを前記見出語読み記憶手段から読み出して表示する制御を行う読み表示制御手段と、
を備えることを特徴とする情報表示制御装置。
【請求項３】
前記読み表示制御手段は、
前記読み出された読みを前記指定された漢字の近傍に表示する制御を行うことを特徴とする請求項１又は２に記載の情報表示制御装置。
【請求項４】
前記読み表示制御手段は、
前記指定手段により指定された漢字を始めとする文字列を前記説明情報表示制御手段により表示制御されている説明情報中から抽出する文字列抽出手段と、
この文字列抽出手段により抽出された文字列と一致する見出語の読みを読み出して表示する制御を行う文字列読み表示制御手段と、
を有することを特徴とする請求項３に記載の情報表示制御装置。
【請求項５】
前記読み表示制御手段は、
前記指定手段により指定された漢字を始めとする文字列と一致する見出語の読みをその見出語とともに一覧表示する読み候補一覧表示制御手段
を有することを特徴とする請求項１又は２に記載の情報表示制御装置。
【請求項６】
前記読み候補一覧表示制御手段により表示制御された見出語を選択する選択手段と、
この選択手段により選択された見出語に対応する説明情報を読み出して表示する制御を行う説明情報ジャンプ表示制御手段と、
を更に備えることを特徴とする請求項５に記載の情報表示制御装置。
【請求項７】
見出語、当該見出し語の読み、及び当該見出し語の説明情報とがそれぞれ対応付けられ辞書情報として記憶されている記憶手段と、
この記憶手段に記憶されている辞書情報中の見出語のうち、一の見出語を選択する選択手段と、
この選択手段により選択された見出語に対応する説明情報を表示する制御を行う説明情報表示制御手段と、
前記選択手段により選択された見出語に対応する説明情報に含まれる文字列と一致する見出語の読みを前記記憶手段から読み出し、前記説明情報表示制御手段により表示制御された説明情報の行間に表示する制御を行う行間読み表示制御手段と、
を備えることを特徴とする情報表示制御装置。
【請求項８】
コンピュータに、
見出語、当該見出語の読み、及び当該見出語の説明情報がそれぞれ対応付けられ辞書情報として記憶する記憶機能と、
この記憶機能により記憶されている辞書情報中の見出語のうち、一の見出語を選択する選択機能と、
この選択機能により選択された見出語に対応する説明情報を表示する制御を行う説明情報表示制御機能と、
この説明情報表示制御機能により表示制御された説明情報中の漢字を指定する指定機能と、
この指定機能により指定された漢字を含む見出語を前記辞書情報中から検索し、この検索された見出語の読みを前記辞書情報から読み出して前記説明情報とともに表示する制御を行う読み表示制御機能と、
を実現させるためのプログラム。
【請求項９】
コンピュータに、
見出語と当該見出語の読みとを対応付けて記憶する見出語読み記憶機能と、
見出語と、当該見出語の説明情報とをそれぞれ対応付けて辞書情報として記憶する記憶機能と、
この記憶機能により記憶されている見出語のうち、一の見出語を選択する選択機能と、
この選択機能により選択された見出語に対応する説明情報を表示する制御を行う説明情報表示制御機能と、
この説明情報表示制御機能により表示制御された説明情報中の漢字を指定する指定機能と、
この指定機能により指定された漢字を含む見出語を前記見出語読み記憶機能から検索し、この検索された見出語の読みを前記見出語読み記憶機能から読み出して表示する制御を行う読み表示制御機能と、
を実現させるためのプログラム。
【請求項１０】
コンピュータを、
見出語、当該見出し語の読み、及び当該見出し語の説明情報とがそれぞれ対応付けられ辞書情報として記憶されている記憶手段、
この記憶手段に記憶されている辞書情報中の見出語のうち、一の見出語を選択する選択手段、
この選択手段により選択された見出語に対応する説明情報を表示する制御を行う説明情報表示制御手段、
前記選択手段により選択された見出語に対応する説明情報に含まれる文字列と一致する見出語の読みを前記記憶手段から読み出し、前記説明情報表示制御手段により表示制御された説明情報の行間に表示する制御を行う行間読み表示制御手段、
として機能させるためのプログラム。
【手続補正２】
【補正対象書類名】明細書
【補正対象項目名】発明の名称
【補正方法】変更
【補正の内容】
【発明の名称】情報表示制御装置、及びプログラム
【手続補正３】
【補正対象書類名】明細書
【補正対象項目名】０００１
【補正方法】変更
【補正の内容】
【０００１】
本発明は、情報表示制御装置、及びプログラムに関する。
【手続補正４】
【補正対象書類名】明細書
【補正対象項目名】００１５
【補正方法】変更
【補正の内容】
【００１５】
以上の課題を解決するために、請求項１に記載の情報表示制御装置は、
見出語、当該見出語の読み、及び当該見出語の説明情報がそれぞれ対応付けられ辞書情報として記憶されている記憶手段と、
この記憶手段に記憶されている辞書情報中の見出語のうち、一の見出語を選択する選択手段と、
この選択手段により選択された見出語に対応する説明情報を表示する制御を行う説明情報表示制御手段と、
この説明情報表示制御手段により表示制御された説明情報中の漢字を指定する指定手段と、
この指定手段により指定された漢字を含む見出語を前記辞書情報から検索し、この検索された見出語の読みを前記辞書情報から読み出して前記説明情報とともに表示する制御を行う読み表示制御手段と、
を備えることを特徴としている。
【手続補正５】
【補正対象書類名】明細書
【補正対象項目名】００１６
【補正方法】変更
【補正の内容】
【００１６】
また、請求項８に記載のプログラムは、
コンピュータに、
見出語、当該見出語の読み、及び当該見出語の説明情報がそれぞれ対応付けられ辞書情報として記憶する記憶機能と、
この記憶機能により記憶された辞書情報中の見出語のうち、一の見出語を選択する選択機能と、
この選択機能により選択された見出語に対応する説明情報を表示する制御を行う説明情報表示制御機能と、
この説明情報表示制御機能により表示制御された説明情報中の漢字を指定する指定機能と、
この指定機能により指定された漢字を含む見出語を前記辞書情報中から検索し、この検索された見出語の読みを前記辞書情報から読み出して前記説明情報とともに表示する制御を行う読み表示制御機能と、
を実現させることを特徴としている。
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
請求項２に記載の情報表示制御装置は、
見出語と当該見出語の読みとを対応付けて記憶する見出語読み記憶手段と、
見出語と、当該見出語の説明情報とがそれぞれ対応付けられ辞書情報として記憶されている記憶手段と、
この記憶手段に記憶されている見出語のうち、一の見出語を選択する選択手段と、
この選択手段により選択された見出語に対応する説明情報を表示する制御を行う説明情報表示制御手段と、
この説明情報表示制御手段により表示制御された説明情報中の漢字を指定する指定手段と、
この指定手段により指定された漢字を含む見出語を前記見出語読み記憶手段から検索し、この検索された見出語の読みを前記見出語読み記憶手段読み出して表示する制御を行う読み表示制御手段と、
を備えること特徴としている。
【手続補正８】
【補正対象書類名】明細書
【補正対象項目名】００１９
【補正方法】変更
【補正の内容】
【００１９】
また、請求項９に記載のプログラムは、
コンピュータに、
見出語と当該見出語の読みとを対応付けて記憶する見出語読み記憶機能と、
見出語と、当該見出語の説明情報とをそれぞれ対応付けて辞書情報として記憶する記憶機能と、
この記憶機能により記憶されている見出語のうち、一の見出語を選択する選択機能と、
この選択機能により選択された見出語に対応する説明情報を表示する制御を行う説明情報表示制御機能と、
この説明情報表示制御機能により表示制御された説明情報中の漢字を指定する指定機能と、
この指定機能により指定された漢字を含む見出語を前記見出語読み記憶機能から検索し、この検索された見出語の読みを前記見出語読み記憶機能から読み出して表示する制御を行う読み表示制御機能と、
を実現させることを特徴としている。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
請求項３に記載の発明は、請求項１又は２に記載の情報表示制御装置において、
前記読み表示制御手段は、
前記読み出された読みを前記指定された漢字の近傍に表示する制御を行うことを特徴としている。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
請求項４に記載の発明は、請求項３に記載の情報表示制御装置であって、
前記読み表示制御手段は、
前記指定手段により指定された漢字を始めとする文字列を前記説明情報表示制御手段により表示制御されている説明情報中から抽出する文字列抽出手段と、
この文字列抽出手段により抽出された文字列と一致する見出語の読みを表示する制御を行う文字列読み表示制御手段と、
を有することを特徴としている。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
請求項５に記載の発明は、請求項１又は２に記載の情報表示制御装置において、
前記読み表示制御手段は、
前記指定手段により指定された漢字を始めとする文字列と一致する見出語の読みをその見出語とともに一覧表示する読み候補一覧表示制御手段
を有することを特徴としている。
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】変更
【補正の内容】
【００２７】
請求項６に記載の発明は、請求項５に記載の情報表示制御装置において、
前記読み候補一覧表示制御手段により表示制御された見出語を選択する選択手段と、
この選択手段により選択された見出語に対応する説明情報を読み出して表示する制御を行う説明情報ジャンプ表示制御手段と、
を更に備えることを特徴としている。
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】変更
【補正の内容】
【００２９】
請求項７に記載の情報表示制御装置は、
見出語、当該見出し語の読み、及び当該見出し語の説明情報とがそれぞれ対応付けられ辞書情報として記憶されている記憶手段と、
この記憶手段に記憶されている辞書情報中の見出語のうち、一の見出語を選択する選択手段と、
この選択手段により選択された見出語に対応する説明情報を表示する制御を行う説明情報表示制御手段と、
前記選択手段により選択された見出語に対応する説明情報に含まれる文字列と一致する見出語の読みを前記記憶手段から読み出し、前記説明情報表示制御手段により表示制御された説明情報の行間に表示する制御を行う行間読み表示制御手段と、
を備えることを特徴としている。
【手続補正１９】
【補正対象書類名】明細書
【補正対象項目名】００３０
【補正方法】変更
【補正の内容】
【００３０】
請求項１０に記載のプログラムは、
コンピュータを、
見出語、当該見出し語の読み、及び当該見出し語の説明情報とがそれぞれ対応付けられ辞書情報として記憶されている記憶手段、
この記憶手段に記憶されている辞書情報中の見出語のうち、一の見出語を選択する選択手段、
この選択手段により選択された見出語に対応する説明情報を表示する制御を行う説明情報表示制御手段、
前記選択手段により選択された見出語に対応する説明情報に含まれる文字列と一致する見出語の読みを前記記憶手段から読み出し、前記説明情報表示制御手段により表示制御された説明情報の行間に表示する制御を行う行間読み表示制御手段、
として機能させることを特徴としている。
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】変更
【補正の内容】
【００３９】
請求項１又は８に記載の発明によれば、表示した説明情報中の指定された漢字を含む見出語を辞書情報から検索して、検索された見出語の読みを読み出して説明情報とともに表示する制御を行う。これにより、ユーザは、説明情報中の漢字の読みを容易に知ることができる。また、見出語を利用して「読み」を表示することができるため、説明情報中の各漢字についての読みのデータをわざわざ用意するといったことは不要である。
【手続補正２９】
【補正対象書類名】明細書
【補正対象項目名】００４０
【補正方法】変更
【補正の内容】
【００４０】
請求項２又は９に記載の発明によれば、表示した説明情報中の指定された漢字を含む見出語を見出語読み記憶手段又は見出語読み記憶機能により記憶されている見出語から検索して、検索された見出語の読みを読み出して表示する制御を行う。これにより、ユーザは、説明情報中の漢字の読みを容易に知ることができる。また、見出語を利用して「読み」を表示することができるため、説明情報中の各漢字についての読みのデータをわざわざ用意するといったことは不要である。
【手続補正３０】
【補正対象書類名】明細書
【補正対象項目名】００４１
【補正方法】変更
【補正の内容】
【００４１】
請求項３に記載の発明によれば、指定された説明情報中の漢字を含む見出語を検索して、検索された見出語の読みを読み出して、指定された漢字の近傍に表示する制御を行う。これにより、ユーザは、説明情報中の漢字を指定するといった簡単な操作によって、その漢字の読みを容易に知ることができる。
【手続補正３１】
【補正対象書類名】明細書
【補正対象項目名】００４２
【補正方法】変更
【補正の内容】
【００４２】
請求項４に記載の発明によれば、指定された漢字を始めとする文字列を説明情報中から抽出し、抽出された文字列と一致する見出語の読みを表示する制御を行う。これにより、表示させる読みは、指定された漢字で始まる文字列に対する読みであるから、説明情報の内容により適した読みを表示させることができる。また、ユーザは、表示される読みにより、当該読みの見出語が辞書情報に含まれていることも知ることができる。
【手続補正３２】
【補正対象書類名】明細書
【補正対象項目名】００４３
【補正方法】変更
【補正の内容】
【００４３】
請求項５に記載の発明によれば、指定された漢字を始めとする文字列と一致する見出語の読みを一覧表示する制御を行う。これにより、ユーザは、説明情報中の文字列を指定するといった簡単な操作で、指定した漢字で始まる説明情報中の文字列の読みを容易に知ることができる。また、表示される読みの一覧は、指定した漢字で始まる説明情報中の文字列の読みであるから、ユーザは、指定した漢字で始まる説明情報中の所望の文字列の読みを、見出語と読みとの一覧から探すことができる。また、ユーザは、表示される読みにより、当該読みの見出語が辞書情報に含まれていることも知ることができる。
【手続補正３３】
【補正対象書類名】明細書
【補正対象項目名】００４５
【補正方法】変更
【補正の内容】
【００４５】
請求項７又は１０に記載の発明によれば、行間に漢字の読みを表示する制御を行う。これにより、ユーザは、表示される読みで、説明情報の参照を妨げられることがなく、また、漢字とその読みとを対応付けるようにして当該説明情報を参照することができる。
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】